(57)【要約】【課題】簡素な構造の電子ユニット取付構造を提供する。【解決手段】電子ユニット３のケース５は、ケース本体５０と、ケース本体５０の一側面５０ｃから突出した第１突出部５１及び第２突出部と、他側面５０ｄに設けられたロック部５２とを有している。電気接続箱２のケース４は、該ケース４上面４０ａと直交し、第１挿入部６１及び第２挿入部が形成された垂直壁６と、ロック受け部４２とを有している。第１突出部５１が第１挿入部６１に挿入されかつ第２突出部が第２挿入部に挿入されて、第１突出部５１を中心に電子ユニット３が回動されることにより、ロック部５２がロック受け部４２に係止して、上面４０ａに電子ユニット３が取り付けられる。この状態で、第２突出部が矢印Ｙ方向及びＺ方向に移動することが第２挿入部によって規制されている。【選択図】図７
2014096959.tif 000002
【特許請求の範囲】
【請求項１】
電気接続箱のケース上面に電子ユニットを取り付ける電子ユニット取付構造において、
前記電子ユニットのケースが、部品を収容したケース本体と、前記ケース本体の一側面から突出した第１突出部と、前記一側面から突出した第２突出部と、前記一側面と対向する他側面に設けられたロック部と、を有し、
前記電気接続箱のケースが、前記上面と直交する方向に延びると共に前記上面よりも上方に延長された垂直壁と、前記垂直壁と対向する位置に配されたロック受け部と、を有し、
前記垂直壁には、前記ロック受け部側に開口し、前記第１突出部が挿入される第１挿入部及び前記ロック受け部側に開口し、前記第２突出部が挿入される第２挿入部が形成され、
前記第１突出部が前記第１挿入部に挿入されかつ前記第２突出部が前記第２挿入部に挿入されて、前記第１突出部を中心に前記電子ユニットが回動されることにより、前記ロック部が前記ロック受け部に係止して、前記電気接続箱のケース上面に前記電子ユニットが取り付けられ、この状態で、前記第２突出部が、前記上面と直交する方向に移動すること及び前記上面と平行かつ前記垂直壁と前記ロック受け部との対向方向と直交する方向に移動することが前記第２挿入部によって規制されている
ことを特徴とする電子ユニット取付構造。
【請求項２】
前記第２挿入部は、前記上面側から上方に向かうにしたがって徐々に間隔が狭くなるように形成されている
ことを特徴とする請求項１に記載の電子ユニット取付構造。
【請求項３】
前記第２突出部は、前記一側面からの突出長が前記第１突出部よりも大きい
ことを特徴とする請求項１又は請求項２に記載の電子ユニット取付構造。
【請求項４】
前記電子ユニットのケースが、前記一側面から突出した第３突出部をさらに有し、前記第３突出部及び前記第２突出部が前記第１突出部の両側に配置されており、
前記垂直壁には、前記ロック受け部側に開口し、前記第３突出部が挿入される第３挿入部がさらに形成され、
前記電気接続箱のケース上面に前記電子ユニットが取り付けられた状態で、前記第３突出部の上面が前記第３挿入部の内面に当接する
ことを特徴とする請求項１ないし請求項３のうちいずれか１項に記載の電子ユニット取付構造。
【請求項５】
前記電気接続箱及び前記電子ユニットが、前記第１突出部を中心に前記電子ユニットが回動されることにより互いに嵌合するコネクタを有している
ことを特徴とする請求項１ないし請求項４のうちいずれか１項に記載の電子ユニット取付構造。
【請求項６】
前記電気接続箱のケース上面に、前記電子ユニットのガタつきを抑制する複数の凸部が設けられている
ことを特徴とする請求項１ないし請求項５のうちいずれか１項に記載の電子ユニット取付構造。
【発明の詳細な説明】
【技術分野】
【０００１】
本発明は、電気接続箱のケース上面に電子ユニットを取り付ける電子ユニット取付構造に関するものである。
【背景技術】
【０００２】
図１８は、従来の電子ユニット取付構造を示す斜視図であり、電子ユニットが電気接続箱のケース上面に取り付けられる途中の状態を示す斜視図である。図１９は、図１８に示された電子ユニット取付構造の軸部及び軸受け部を示す断面図である。
【０００３】
図１８に示すように、電子ユニット取付構造３０１は、電気接続箱３０２のケース３０４上面に電子ユニット３０３を取り付ける構造である。電子ユニット３０３のケース３０５の一側面には一対の軸部３０７が設けられており、ケース３０５の他側面にはロック部３５２が設けられている。電気接続箱３０２のケース３０４には、一対の軸部３０７を回転自在に取り付ける一対の軸受け部３０６と、ロック部３５２が係止するロック受け部３４２と、が設けられている。
【０００４】
この電子ユニット取付構造３０１においては、図１９に示すように軸部３０７が軸受け部３０６に挿入されて該軸部３０７を中心に電子ユニット３０３が回動されることにより、軸部３０７が軸受け部３０６の内面に当接すると共にロック部３５２がロック受け部３４２に係止して電気接続箱３０２のケース３０４上面に電子ユニット３０３が取り付けられる。
【０００５】
また、軸部３０７の表面及び軸受け部３０６の内面には、電気接続箱３０２に電子ユニット３０３が取り付けられるのと同時に互いに直交する格好で食込み合うことにより、電気接続箱３０２と電子ユニット３０３とのガタつきを抑制するリブ３７１，３６１が設けられている（特許文献１を参照。）。
【先行技術文献】
【特許文献】
【０００６】
【特許文献１】特開２００８−１７２８９２号公報
【発明の概要】
【発明が解決しようとする課題】
【０００７】
上述した電子ユニット取付構造３０１においては、軸部３０７及び軸受け部３０６の双方にガタつきを抑制するリブ３７１，３６１が設けられている構造であることから、軸部３０７及び軸受け部３０６の形状が複雑化し、これらを製造する金型も複雑化して、コスト高になってしまうという問題があった。
【０００８】
したがって、本発明は、簡素な構造の電子ユニット取付構造を提供することを目的とする。
【課題を解決するための手段】
【０００９】
上記目的を達成するために請求項１に記載された発明は、電気接続箱のケース上面に電子ユニットを取り付ける電子ユニット取付構造において、前記電子ユニットのケースが、部品を収容したケース本体と、前記ケース本体の一側面から突出した第１突出部と、前記一側面から突出した第２突出部と、前記一側面と対向する他側面に設けられたロック部と、を有し、前記電気接続箱のケースが、前記上面と直交する方向に延びると共に前記上面よりも上方に延長された垂直壁と、前記垂直壁と対向する位置に配されたロック受け部と、を有し、前記垂直壁には、前記ロック受け部側に開口し、前記第１突出部が挿入される第１挿入部及び前記ロック受け部側に開口し、前記第２突出部が挿入される第２挿入部が形成され、前記第１突出部が前記第１挿入部に挿入されかつ前記第２突出部が前記第２挿入部に挿入されて、前記第１突出部を中心に前記電子ユニットが回動されることにより、前記ロック部が前記ロック受け部に係止して、前記電気接続箱のケース上面に前記電子ユニットが取り付けられ、この状態で、前記第２突出部が、前記上面と直交する方向に移動すること及び前記上面と平行かつ前記垂直壁と前記ロック受け部との対向方向と直交する方向に移動することが前記第２挿入部によって規制されていることを特徴とする電子ユニット取付構造である。
【００１０】
請求項２に記載された発明は、請求項１に記載された発明において、前記第２挿入部は、前記上面側から上方に向かうにしたがって徐々に間隔が狭くなるように形成されていることを特徴とするものである。
【００１１】
請求項３に記載された発明は、請求項１又は請求項２に記載された発明において、前記第２突出部は、前記一側面からの突出長が前記第１突出部よりも大きいことを特徴とするものである。
【００１２】
請求項４に記載された発明は、請求項１ないし請求項３のうちいずれか１項に記載された発明において、前記電子ユニットのケースが、前記一側面から突出した第３突出部をさらに有し、前記第３突出部及び前記第２突出部が前記第１突出部の両側に配置されており、前記垂直壁には、前記ロック受け部側に開口し、前記第３突出部が挿入される第３挿入部がさらに形成され、前記電気接続箱のケース上面に前記電子ユニットが取り付けられた状態で、前記第３突出部の上面が前記第３挿入部の内面に当接することを特徴とするものである。
【００１３】
請求項５に記載された発明は、請求項１ないし請求項４のうちいずれか１項に記載された発明において、前記電気接続箱及び前記電子ユニットが、前記第１突出部を中心に前記電子ユニットが回動されることにより互いに嵌合するコネクタを有していることを特徴とするものである。
【００１４】
請求項６に記載された発明は、請求項１ないし請求項５のうちいずれか１項に記載された発明において、前記電気接続箱のケース上面に、前記電子ユニットのガタつきを抑制する複数の凸部が設けられていることを特徴とするものである。
【発明の効果】
【００１５】
請求項１に記載された発明によれば、前記電子ユニットのケースが、部品を収容したケース本体と、前記ケース本体の一側面から突出した第１突出部と、前記一側面から突出した第２突出部と、前記一側面と対向する他側面に設けられたロック部と、を有し、前記電気接続箱のケースが、前記上面と直交する方向に延びると共に前記上面よりも上方に延長された垂直壁と、前記垂直壁と対向する位置に配されたロック受け部と、を有し、前記垂直壁には、前記ロック受け部側に開口し、前記第１突出部が挿入される第１挿入部及び前記ロック受け部側に開口し、前記第２突出部が挿入される第２挿入部が形成され、前記第１突出部が前記第１挿入部に挿入されかつ前記第２突出部が前記第２挿入部に挿入されて、前記第１突出部を中心に前記電子ユニットが回動されることにより、前記ロック部が前記ロック受け部に係止して、前記電気接続箱のケース上面に前記電子ユニットが取り付けられ、この状態で、前記第２突出部が、前記上面と直交する方向に移動すること及び前記上面と平行かつ前記垂直壁と前記ロック受け部との対向方向と直交する方向に移動することが前記第２挿入部によって規制されているので、第１突出部が回転中心軸として機能し、第２突出部及び第２挿入部がガタ詰め部材として機能する。よって、簡素な構造の電子ユニット取付構造を提供することができる。
【００１６】
請求項２に記載された発明によれば、前記第２挿入部は、前記上面側から上方に向かうにしたがって徐々に間隔が狭くなるように形成されているので、第２突出部及び第２挿入部の形状を簡素化でき、さらに、電子ユニットを小さい力でスムーズに回動させることができる。
【００１７】
請求項３に記載された発明によれば、前記第２突出部は、前記一側面からの突出長が前記第１突出部よりも大きいので、第２突出部を第２挿入部内に挿入することにより第１突出部を第１挿入部内に位置付けることができ、電子ユニットの取付作業を容易に行うことができる。また、電子ユニットを回動させて取り付けるのではなく垂直壁とロック受け部との間に強引に押し込んで取り付けようとした場合に、第２突出部が垂直壁にぶつかることにより電子ユニットが強引に押し込まれることを阻止でき、電子ユニットの取付作業を誤ることを防止できる。
【００１８】
請求項４に記載された発明によれば、前記電子ユニットのケースが、前記一側面から突出した第３突出部をさらに有し、前記第３突出部及び前記第２突出部が前記第１突出部の両側に配置されており、前記垂直壁には、前記ロック受け部側に開口し、前記第３突出部が挿入される第３挿入部がさらに形成され、前記電気接続箱のケース上面に前記電子ユニットが取り付けられた状態で、前記第３突出部の上面が前記第３挿入部の内面に当接するので、電子ユニットの上下方向のガタつきを確実に抑制することができる。
【００１９】
請求項５に記載された発明によれば、前記電気接続箱及び前記電子ユニットが、前記第１突出部を中心に前記電子ユニットが回動されることにより互いに嵌合するコネクタを有しているので、電子ユニットの取り付け作業と同時にコネクタ同士の嵌合作業を行うことができる。
【００２０】
請求項６に記載された発明によれば、前記電気接続箱のケース上面に、前記電子ユニットのガタつきを抑制する複数の凸部が設けられているので、電子ユニットの上下方向のガタつきを確実に抑制することができる。
【図面の簡単な説明】
【００２１】
【図１】本発明の一実施形態にかかる電子ユニット取付構造を示す平面図であり、電子ユニットが電気接続箱のケース上面に取り付けられた状態を示す平面図である。
【図２】図１に示された電気接続箱のみを示す斜視図である。
【図３】図１に示された電子ユニットのみを示す斜視図である。
【図４】図３中のＡ部の拡大図である。
【図５】図３中のＢ部の拡大図である。
【図６】図３中のＣ部の拡大図である。
【図７】図１に示された電子ユニットが電気接続箱のケース上面に取り付けられる途中の状態を示す断面図である。
【図８】図７に示された電子ユニットが電気接続箱のケース上面に取り付けられた状態を示す断面図である。
【図９】図７中のＤ部の拡大図である。
【図１０】図８中のＥ部の拡大図である。
【図１１】図７の状態での第２突出部及び第２挿入部を示す断面図である。
【図１２】図８の状態での第２突出部及び第２挿入部を示す断面図である。
【図１３】図１１中の矢印Ｆ方向から第２突出部及び第２挿入部を見た図である。
【図１４】図１２中の矢印Ｇ方向から第２突出部及び第２挿入部を見た図である。
【図１５】図７の状態での第３突出部及び第３挿入部を示す断面図である。
【図１６】図８の状態での第３突出部及び第３挿入部を示す断面図である。
【図１７】図１に示された電子ユニット取付構造の作用効果を説明するための説明図である。
【図１８】従来の電子ユニット取付構造を示す斜視図であり、電子ユニットが電気接続箱のケース上面に取り付けられる途中の状態を示す斜視図である。
【図１９】図１８に示された電子ユニット取付構造の軸部及び軸受け部を示す断面図である。
【発明を実施するための形態】
【００２２】
本発明の一実施形態にかかる「電子ユニット取付構造」を図１〜１７を参照して説明する。
【００２３】
図１に示す電子ユニット取付構造１は、電気接続箱２のケース４上面４０ａに電子ユニット３を取り付ける構造である。
【００２４】
上記電子ユニット３は、電気接続箱２のケース４上面４０ａに取り付けられて、該電気接続箱２に電気的に接続されるものである。この電子ユニット３は、図３〜８に示すように、基板１６と、基板１６に接続されたコネクタ１７，１８，１９と、これらを収容した合成樹脂製のケース５と、を有している。
【００２５】
上記ケース５は、平板状に形成されたケース本体５０と、ケース本体５０の一側面５０ｃから突出した第１突出部５１、第２突出部５４、第３突出部５５、一対のリブ５６と、ケース本体５０の一側面５０ｃと対向する他側面５０ｄに設けられたロック部５２と、を有している。第１突出部５１は一側面５０ｃの中央に配置されており、第２突出部５４及び第３突出部５５は第１突出部５１の両側に配置されている。また、一対のリブ５６は、第３突出部５５の両側に配置されている。
【００２６】
上記第１突出部５１は、図４に示すように、直方体状に形成されている。また、本発明においては、図４中の符号５１ａを第１突出部５１の上面と呼び、符合５１ｂ，５１ｃを第１突出部５１の側面と呼ぶ。この第１突出部５１は、電子ユニット３を電気接続箱２のケース４上面４０ａに取り付ける際に、後述する第１挿入部６１内に挿入されて、回転中心軸として機能として機能する。詳細については後述する。
【００２７】
上記第２突出部５４は、図５に示すように、円柱状に形成されている。第２突出部５４は、ケース本体５０の一側面５０ｃからの突出長が第１突出部５１よりも大きい。この第２突出部５４は、電子ユニット３が電気接続箱２のケース４上面４０ａに取り付けられた状態において、後述する第２挿入部６４内に挿入されて（図１４を参照。）、該第２挿入部６４と共に、電子ユニット３の矢印Ｙ方向，矢印Ｚ方向のガタつきを抑制するガタ詰め部材として機能する。また、第２挿入部６と接触する接触部５４ｂ（図１４中のＨ部）を変形しやすくするために、第２突出部５４の中心部には肉抜き部５４ａ（空洞）が形成されている。第２突出部５４及び第２挿入部６４のガタ詰め構造の詳細については後述する。
【００２８】
上記第３突出部５５は、図６に示すように、板状に形成されている。第３突出部５５は、ケース本体５０の一側面５０ｃから離れるにしたがってケース本体５０の上面５０ａに近付く方向に傾斜している。この第３突出部５５は、電子ユニット３が電気接続箱２のケース４上面４０ａに取り付けられた状態において、後述する第３挿入部６５と共に、電子ユニット３の矢印Ｙ方向のガタつきを抑制するガタ詰め部材として機能する。詳細については後述する。
【００２９】
また、図３に示す符号５０ａは、ケース本体５０の上面を示しており、符号５０ｂは、ケース本体５０の下面を示しており、符号５０ｅ，５０ｆは、ケース本体５０の側面を示している。前記コネクタ１７は、側面５０ｅから突出しており、前記コネクタ１９は、側面５０ｆから突出しており、前記コネクタ１８は、下面５０ｂから突出している。また、コネクタ１８は、電気接続箱２のコネクタ１４と嵌合される。
【００３０】
上記電気接続箱２は、自動車に搭載されて、前記自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を総称して、以下電気接続箱と呼ぶ。
【００３１】
この電気接続箱２は、図２，７，８に示すように、基板１０と、基板１０に搭載されたヒューズ１１及びリレー１２と、基板１０に接続されたコネクタ１３，１４，１５と、これらを収容した合成樹脂製のケース４と、を有している。
【００３２】
上記ケース４は、矩形箱状に形成されたケース本体４０と、ケース本体４０の一側面４０ｃ側に設けられ、ケース本体４０の上面４０ａと直交する方向（矢印Ｙ方向）に延びると共に上面４０ａよりも上方に延長された垂直壁６と、ケース本体４０の一側面４０ｃと対向する他側面４０ｄに設けられたロック受け部４２と、を有している。垂直壁６及びロック受け部４２は、互いに対向する位置に配されている。また、ロック受け部４２は、上記ロック部５２が係止する。
【００３３】
また、図２に示す符号４０ａは、ケース本体４０の上面を示しており、符号４０ｂは、ケース本体４０の下面を示しており、符号４０ｅ，４０ｆは、ケース本体４０の側面を示している。前記コネクタ１３は、側面４０ｅから突出しており、前記コネクタ１５は、側面４０ｆから突出しており、前記コネクタ１４は、上面４０ａから突出している。また、コネクタ１４は、電子ユニット３のコネクタ１８と嵌合される。また、上面４０ａには、電子ユニット３の矢印Ｙ方向のガタつきを抑制する複数の凸部４１が設けられている。
【００３４】
上記垂直壁６には、ロック受け部４２側に開口し、第１突出部５１が挿入される第１挿入部６１と、ロック受け部４２側に開口し、第２突出部５４が挿入される第２挿入部６４と、ロック受け部４２側に開口し、第３突出部５５及び一対のリブ５６が挿入される第３挿入部６５と、が形成されている。
【００３５】
上記第１挿入部６１の内部空間は、図７〜１０に示すように、ケース本体４０の上面４０ａの上方から下方に亘って延びており、ケース本体４０の内部空間と連通している。また、図１０に示すように、第１挿入部６１の開口部は、第１突出部５１の外周よりも一回り大きく形成されている。
【００３６】
上記第２挿入部６４は、図２，１１〜１４に示すように、垂直壁６に貫通形成されている。また、第２挿入部６４は、ケース本体４０の上面４０ａ側から上方に向かうにしたがって徐々に間隔が狭くなるように形成されている。
【００３７】
上述した電子ユニット３を電気接続箱２のケース４上面４０ａに取り付ける際は、図７，９，１１，１３，１５に示すように、電子ユニット３を傾けた状態で第２突出部５４を第２挿入部６４内に挿入し、続いて第１突出部５１を第１挿入部６１内に挿入すると共に第３突出部５５及び一対のリブ５６を第３挿入部６５内に挿入して、第１突出部５１を中心に電子ユニット３を回動させる。このことにより、図８に示すように、ロック部５２がロック受け部４２に係止して、電気接続箱２のケース４上面４０ａに電子ユニット３が取り付けられる。また、コネクタ１４，１８は、前述したように電子ユニット３が回動されることにより互いに嵌合する。
【００３８】
また、上述したように電子ユニット３が電気接続箱２のケース４上面４０ａに取り付けられると同時に、第２突出部５４は、図１４に示すように、第２突出部５４の外周面上の２点、すなわち前述した接触部５４ｂが第２挿入部６４の内面と接触又は弾性接触する。このことにより、第２突出部５４は、上面４０ａと直交する方向（矢印Ｙ方向）に移動すること及び上面４０ａと平行かつ垂直壁６とロック受け部４２との対向方向（矢印Ｘ方向）と直交する方向（矢印Ｚ方向）に移動することが第２挿入部６４によって規制される。
【００３９】
なお、設計上は、第２突出部５４の接触部５４ｂと第２挿入部６４内面との接触点（図１４中のＨ部）に圧力が生じないように設計されているが、ケース４又はケース５に寸法誤差が生じた場合は、接触部５４ｂが第２挿入部６４内面に弾性接触する。
【００４０】
また、上述したように電子ユニット３が電気接続箱２のケース４上面４０ａに取り付けられると同時に、第３突出部５５は、図１６に示すように、その上面かつ先端部５５ａが第３挿入部６５の内面６５ａに当接する。
【００４１】
また、上述したように電子ユニット３が電気接続箱２のケース４上面４０ａに取り付けられた状態で、第１突出部５１の上面５１ａは、図１０に示すように、第１挿入部６１の内面６１ａと間隔をあけている。また、第１突出部５１の側面５１ｂ，５１ｃは、図示は省略するが、第１挿入部６１の内面と間隔をあけている。すなわち、第１突出部５１は第１挿入部６１の内面と接触しない。
【００４２】
このように、電気接続箱２のケース４上面４０ａに取り付けられた電子ユニット３は、第２突出部５４の外周面上の２点が第２挿入部６４の内面と接触すること、第３突出部５５の上面かつ先端部５５ａが第３挿入部６５の内面６５ａに当接すること、及び、ケース本体５０の下面５０ｂがケース本体４０の上面４０ａの凸部４１に当接することにより、矢印Ｙ方向のガタつきが抑制される。また、電子ユニット３は、第２突出部５４の外周面上の２点が第２挿入部６４の内面と接触することにより、矢印Ｚ方向のガタつきが抑制される。また、電子ユニット３は、ロック部５２がロック受け部４２に係止することにより、矢印Ｘ方向のガタつきが抑制される。
【００４３】
また、上述したように、電子ユニット３を回動させながら電気接続箱２のケース４上面４０ａに取り付ける方法が電子ユニット取付構造１の正しい取付方法である。一方、図１７に示すように、電子ユニット３を垂直壁６とロック受け部４２との間に強引に押し込んで（矢印Ｊは押圧力の向きを表している。）取り付けようとした場合は、第２突出部５４が垂直壁６にぶつかることにより電子ユニット３が強引に押し込まれることを阻止でき、電子ユニット３の取付作業を誤ることを防止できる。なお、電子ユニット３を垂直壁６とロック受け部４２との間に強引に押し込んで取り付けようとした場合、第２突出部５４だけでなく第１突出部５１も垂直壁６にぶつかるが、第１突出部５１は第２突出部５４よりもケース本体５０の一側面５０ｃからの突出長が小さいので、第２突出部５４が無いと、電子ユニット３が垂直壁６とロック受け部４２との間に押し込まれてしまうおそれがある。
【００４４】
上述した電子ユニット取付構造１によれば、第１突出部５１が回転中心軸として機能し、第２突出部５４及び第２挿入部６４がガタ詰め部材として機能するので、第１突出部５１及び第１挿入部６１の形状を複雑化させることなくガタ詰めを行うことができる。また、第１突出部５１及び第１挿入部６１が簡素な形状であるため、これらを製造する金型も簡素化することができる。また、第３突出部５５及び第３挿入部６５、ケース４上面４０ａの凸部４１により、電子ユニット３の上下方向のガタつきを確実に抑制することができる。
【００４５】
さらに、電子ユニット取付構造１によれば、第２挿入部６４が、ケース４の上面４０ａ側から上方に向かうにしたがって徐々に間隔が狭くなるように形成されているので、第２突出部５４及び第２挿入部６４の形状を簡素化でき、さらに、電子ユニット３を小さい力でスムーズに回動させることができる。また、第２突出部５４は、ケース本体５０の一側面５０ｃからの突出長が第１突出部５１よりも大きいので、第２突出部５４を第２挿入部６４内に挿入することにより第１突出部５１を第１挿入部６１内に位置付けることができ、電子ユニット３の取付作業を容易に行うことができる。
【００４６】
また、上述した実施形態においては、第１突出部５１を第１挿入部６１内に挿入し易くするために、第１挿入部６１の開口部を第１突出部５１の外周よりも一回り大きく形成しており、その結果として、電子ユニット３が電気接続箱２のケース４上面４０ａに取り付けられた状態で、第１突出部５１が第１挿入部６１の内面と接触しない構成であったが、本発明においては、第１突出部５１が第１挿入部６１の内面と接触する構成であっても良い。
【００４７】
また、上述した実施形態においては、第１突出部５１をケース本体５０の一側面５０ｃの中央に配置したことから、電子ユニット３のガタつきを抑制するのに最も好ましい形態として、第２突出部５４及び第３突出部５５を第１突出部５１の両側に配置したが、本発明においては、第１突出部５１をケース本体５０の一側面５０ｃの何れに配置しても良い。また、本発明において、第３突出部５５は必須の構成ではなく、省略することも可能である。
【００４８】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４９】
１  電子ユニット取付構造
２  電気接続部
３  電子ユニット
４  ケース
５  ケース
６  垂直壁
４２  ロック受け部
５０  ケース本体
５１  第１突出部
５２  ロック部
５４  第２突出部
６１  第１挿入部
６４  第２挿入部
【図１】
2014096959.tif 000003
【図２】
2014096959.tif 000004
【図３】
2014096959.tif 000005
【図４】
2014096959.tif 000006
【図５】
2014096959.tif 000007
【図６】
2014096959.tif 000008
【図７】
2014096959.tif 000009
【図８】
2014096959.tif 000010
【図９】
2014096959.tif 000011
【図１０】
2014096959.tif 000012
【図１１】
2014096959.tif 000013
【図１２】
2014096959.tif 000014
【図１３】
2014096959.tif 000015
【図１４】
2014096959.tif 000016
【図１５】
2014096959.tif 000017
【図１６】
2014096959.tif 000018
【図１７】
2014096959.tif 000019
【図１８】
2014096959.tif 000020
【図１９】
2014096959.tif 000021